(57)【要約】【課題】底面を有する基体内に発光体を収容してなる照明器具を、簡単な操作で取付器具に対して着脱可能とする。【解決手段】照明器具１において、その一側面１２から出没する方向に移動可能な第一係合突部２４と、第一係合突部２４を一側面１２から突出する方向に付勢する第一付勢手段２６と、第一係合突部２４を上記付勢に抗する方向に押し操作するための第一操作部２３とを設けると共に、他側面１３から出没する方向に移動可能な第二係合突部３４と、第二係合突部３４を、他側面１３から突出する方向に付勢する第二付勢手段３６と、第二係合突部３４を上記付勢に抗する方向に押し操作するための第二操作部３３とを設ける。取付器具５には、一側面１２から突出した状態にある第一係合突部２４を受承する係合穴５７を有する第一保持部と、上記他側面１３から突出した状態にある第二係合突部３４を受承する係合穴５８を有する第二保持部とを設ける。【選択図】図１
2015005418.tif 000002
【特許請求の範囲】
【請求項１】
底面、この底面から立ち上がった一側面、および前記底面から立ち上がって前記一側面と反対側を向く他側面を有する基体と、
この基体に配設された発光体とを備えてなる照明器具を、前記底面の側から取付器具に取り付ける構造であって、
前記照明器具において、
前記一側面から出没する方向に移動可能にして前記基体に設けられた第一係合突部と、
この第一係合突部を、前記一側面から突出する方向に付勢する第一付勢手段と、
前記第一係合突部を、前記第一付勢手段による付勢に抗する方向に押し操作するための第一操作部と、
前記他側面から出没する方向に移動可能にして前記基体に設けられた第二係合突部と、
この第二係合突部を、前記他側面から突出する方向に付勢する第二付勢手段と、
前記第二係合突部を、前記第二付勢手段による付勢に抗する方向に押し操作するための第二操作部と、
が設けられ、
前記取付器具において、
前記基体の一側面から突出した状態にある前記第一係合突部を受承して保持する一方、該第一係合突部が前記押し操作されたとき前記受承を解除する形状とされた係合穴を有する第一保持部と、
前記基体の他側面から突出した状態にある前記第二係合突部を受承して保持する一方、該第二係合部材が前記押し操作されたとき前記受承を解除する形状とされた係合穴を有する第二保持部と、
が設けられてなる照明器具の取付構造。
【請求項２】
前記第一係合突部および前記第一操作部が一体的に形成されて第一係合部材を構成し、
前記第一係合突部および前記第一操作部が共に、前記一側面から外側を向く方向に先端部が延びる形状とされ、
前記第一係合部材が前記一側面に対して略垂直な方向に移動可能とされており、
前記第二係合突部および前記第二操作部が一体的に形成されて第二係合部材を構成し、
前記第二係合突部および前記第二操作部が共に、前記他側面から外側を向く方向に先端部が延びる形状とされており、
この第二係合部材が前記他側面に対して略垂直な方向に移動可能とされていることを特徴とする請求項１記載の照明器具の取付構造。
【請求項３】
前記第一係合突部並びに前記第二係合突部がそれぞれ２つずつ形成され、
前記第一保持部の係合穴並びに前記第二保持部の係合穴がそれぞれ２つずつ形成されていることを特徴とする請求項２記載の照明器具の取付構造。
【請求項４】
前記照明器具が前記取付器具に取り付けられた状態下で、前記基体の底面と平行な面内の基体位置を規定する位置規定部材が設けられていることを特徴とする請求項１から３いずれか１項記載の照明器具の取付構造。
【請求項５】
前記取付器具の、照明器具の底面と接する面に、照明器具の発光体を点灯させる駆動電流および／または該点灯を制御する信号電流を給電する給電端子が設けられ、
前記照明器具の底面に、該照明器具が取付器具に取り付けられたとき前記給電端子と電気的に接続する受電端子が設けられていることを特徴とする請求項１から４いずれか１項記載の照明器具の取付構造。
【請求項６】
前記照明器具および取付器具の一方に、照明器具が取付器具に取り付けられた状態下で他方との間で圧縮されて、照明器具を取付器具から離れる方向に付勢する離間用付勢手段が設けられていることを特徴とする請求項１から５いずれか１項記載の照明器具の取付構造。
【発明の詳細な説明】
【技術分野】
【０００１】
本発明は、照明器具を取付器具に取り付ける構造に関するものである。
【背景技術】
【０００２】
従来、例えば有機ＥＬ（エレクトロルミネッセンス）パネル等の発光体を薄型の筐体内に収めてなる照明器具が広く実用に供されている。その種の薄型の照明器具は、例えば特許文献１に示されているように、建物の壁面や天井面等に１次元あるいは２次元方向に並べてマトリクス状に配設し、発光面積が極めて大きい面状光源や、あるいは表示装置を構成するように用いられることもある。
【先行技術文献】
【特許文献】
【０００３】
【特許文献１】特開2009-218149号公報
【発明の概要】
【発明が解決しようとする課題】
【０００４】
ところで多くの照明器具は、建物の壁面や天井面等に取り付けるに当たっては、壁面等に固定された取付器具に取り外し可能に取り付けられるのが一般的であり、上記薄型の照明器具に対してもそのような取付構造が適用されることが多い。このような取付構造を薄型の照明器具に適用する場合、特に複数の照明器具がマトリクス状に配設される場合は、各照明器具を基本的にその前面（光が取り出される面）側から押し込んだり、引いたりする操作だけで簡単に着脱自在にすることが望まれる。すなわち、複数の照明器具がマトリクス状に密に配設されていると、ある一つの照明器具を取り付けたり、あるいは取り外したりする際、それに隣接して別の照明器具が横に存在するため、照明器具を横方向に大きく動かすような操作は困難になるからである。
【０００５】
以上、特に薄型の照明器具がマトリクス状に配置される場合のことについて説明したが、それに限らず、底面を有する筐体内に発光体を収容してなる照明器具を底面側から取付器具に取り外し自在に取り付ける場合は、照明器具を簡単な操作、つまり基本的に前面側から押し込んだり、引いたりする操作だけで簡単に着脱自在となっていれば、照明器具の取り付け作業や取り外し作業が極めて容易なものとなる。
【０００６】
そこで本発明は、底面を有する筐体内に発光体を収容してなる照明器具を、簡単な操作で取付器具に対して着脱することを可能にする、照明器具の取付構造を提供することを目的とする。
【課題を解決するための手段】
【０００７】
本発明による照明器具の取付構造は、
底面、この底面から立ち上がった一側面、および前記底面から立ち上がって前記一側面と反対側を向く他側面を有する基体と、
前記基体に配設された発光体とを備えてなる照明器具を、前記底面の側から取付器具に取り付ける構造であって、
照明器具において、
前記一側面から出没する方向に移動可能にして前記基体に設けられた第一係合突部と、
この第一係合突部を、前記一側面から突出する方向に付勢する第一付勢手段と、
前記第一係合突部を、前記第一付勢手段による付勢に抗する方向に押し操作するための第一操作部と、
前記他側面から出没する方向に移動可能にして前記基体に設けられた第二係合突部と、
この第二係合突部を、前記他側面から突出する方向に付勢する第二付勢手段と、
前記第二係合突部を、前記第二付勢手段による付勢に抗する方向に押し操作するための第二操作部と、
が設けられ、
取付器具において、
前記基体の一側面から突出した状態にある前記第一係合突部を受承して保持する一方、該第一係合突部が前記押し操作されたとき前記受承を解除する形状とされた係合穴を有する第一保持部と、
前記基体の他側面から突出した状態にある前記第二係合突部を受承して保持する一方、該第二係合部材が前記押し操作されたとき前記受承を解除する形状とされた係合穴を有する第二保持部と、
が設けられてなるものである。
【０００８】
なお、本発明による照明器具の取付構造においては、
第一係合突部および第一操作部が一体的に形成されて第一係合部材を構成し、
第一係合突部および第一操作部が共に、前記一側面から外側を向く方向に先端部が延びる形状とされ、
第一係合部材が前記一側面に対して略垂直な方向に移動可能とされており、
第二係合突部および第二操作部が一体的に形成されて第二係合部材を構成し、
第二係合突部および第二操作部が共に、前記他側面から外側を向く方向に先端部が延びる形状とされており、
この第二係合部材が前記他側面に対して略垂直な方向に移動可能とされていることが望ましい。
【０００９】
なお上記の構成とする場合は、第一係合突部並びに第二係合突部がそれぞれ２つずつ形成され、第一保持部の係合穴並びに第二保持部の係合穴がそれぞれ２つずつ形成されていることが望ましい。
【００１０】
ここで上記の「略垂直」とは、垂直である場合は勿論のこと、第一係合突部、第二係合突部がそれぞれ、第一保持部の係合穴、第二保持部の係合穴に受承され得る範囲内で、正確に垂直な状態から外れている場合も含むことを意味する。
【００１１】
また、本発明による照明器具の取付構造においては、照明器具が取付器具に取り付けられた状態下で、基体の底面と平行な面内の基体位置を規定する位置規定部材が設けられていることが望ましい。
【００１２】
また、本発明による照明器具の取付構造においては、
取付器具の、照明器具の底面と接する面に、照明器具の発光体を点灯させる駆動電流および／または該点灯を制御する信号電流を給電する給電端子が設けられ、
照明器具の底面に、該照明器具が取付器具に取り付けられたとき前記給電端子と電気的に接続する受電端子が設けられていることが望ましい。
【００１３】
さらに、本発明による照明器具の取付構造においては、照明器具および取付器具の一方に、照明器具が取付器具に取り付けられた状態下で他方との間で圧縮されて、照明器具を取付器具から離れる方向に付勢する離間用付勢手段が設けられていることが望ましい。
【発明の効果】
【００１４】
本発明による照明器具の取付構造は、
底面、この底面から立ち上がった一側面、および前記底面から立ち上がって前記一側面と反対側を向く他側面を有する基体と、
前記基体に配設された発光体とを備えてなる照明器具を、前記底面の側から取付器具に取り付ける構造であって、
照明器具において、
前記一側面から出没する方向に移動可能にして前記基体に設けられた第一係合突部と、
この第一係合突部を、前記一側面から突出する方向に付勢する第一付勢手段と、
前記第一係合突部を、前記第一付勢手段による付勢に抗する方向に押し操作するための第一操作部と、
前記他側面から出没する方向に移動可能にして前記基体に設けられた第二係合突部と、
この第二係合突部を、前記他側面から突出する方向に付勢する第二付勢手段と、
前記第二係合突部を、前記第二付勢手段による付勢に抗する方向に押し操作するための第二操作部と、
が設けられ、
取付器具において、
前記基体の一側面から突出した状態にある前記第一係合突部を受承して保持する一方、該第一係合突部が前記押し操作されたとき前記受承を解除する形状とされた係合穴を有する第一保持部と、
前記基体の他側面から突出した状態にある前記第二係合突部を受承して保持する一方、該第二係合部材が前記押し操作されたとき前記受承を解除する形状とされた係合穴を有する第二保持部と、
が設けられてなるものであるので、この取付構造によれば、以下の通りにして、照明器具を簡単な操作で取付器具に対して着脱可能となる。
【００１５】
すなわち、照明器具を取り付ける際には、第一操作部および第二操作部を押し操作して、第一係合突部および第二係合突部を、それぞれ前記一側面および他側面の内方に没した状態あるいはそれに近い状態に設定しておくことができる。その状態にすれば、第一係合突部および第二係合突部をそれぞれ取付器具の第一保持部および第二保持部と干渉させることなく、第一係合突部が第一保持部の係合穴と向かい合い、また第二係合突部が第二保持部の係合穴と向かい合う位置に照明器具を配することができる。その状態になったところで第一操作部および第二操作部の押し操作を解除すれば、第一係合突部を第一保持部の係合穴に進入、係合させ、また第二係合突部を第二保持部の係合穴に進入、係合させることができるので、照明器具を取付器具から離脱しないようにして該取付器具に簡単に取り付けることができる。
【００１６】
照明器具を取り外す際には、第一操作部および第二操作部を押し操作することにより、第一係合突部を第一保持部の係合穴から抜け出させ、また第二係合突部を第二保持部の係合穴から抜け出させることができる。そこで照明器具を取付器具から引き離せば、照明器具を取付器具から簡単に取り外すことができる。
【図面の簡単な説明】
【００１７】
【図１】本発明の一実施形態による照明器具の取付構造を示す一部破断側面図
【図２】図１に示した照明器具の平面図
【図３】上記照明器具の側面図
【図４】上記照明器具の係合部材を示す斜視図
【図５】上記照明器具の一部を示す斜視図
【図６】上記照明器具の底面図
【図７】図１に示した取付器具の平面図
【図８】上記取付器具の側面図
【図９】上記取付器具を示す斜視図
【図１０】本発明の別の実施形態による照明器具の取付構造を示す斜視図
【図１１】図１０に示した照明器具の一部を示す一部破断斜視図
【発明を実施するための形態】
【００１８】
以下、図面を参照して本発明の実施形態を詳細に説明する。図１は、本発明の一実施形態による照明器具の取付構造を示す側面図である。この取付構造は、一例として概略薄い直方体状の外形形状を有する照明器具１を横にした状態、つまり光を取り出す前面が上を向いた状態で取付器具５に取り付けるためのものである。
【００１９】
まず図２〜６を参照して、照明器具１について説明する。図２および図３はそれぞれ、照明器具１の平面形状および側面形状を示しており、また図４および図５はそれぞれ照明器具１の一部の斜視形状を示し、図６は照明器具１の底面の形状を示している。
【００２０】
図２および図３に示される通りこの照明器具１は基本的に、概略薄い直方体状に形成された筐体１０内に、例えば有機ＥＬ（エレクトロルミネッセンス）パネル等の発光体２０を収容して構成されている。発光体２０が配設される基体としての筐体１０は、例えば透明あるいは白色の合成樹脂から形成され、底面１１と、この底面１１から直角に立ち上がった一側面１２と、同じく底面１１から直角に立ち上がって一側面１２と反対側を向く他側面１３とを有している。これらの一側面１２および他側面１３は互いに平行で直線方向（矢印Ａ方向）に延びる状態に形成され、照明器具１が取付器具５に取り付けられた状態では各々左側面と右側面となる。そしてこれらの一側面１２と他側面１３の各端部の間を延びる、互いに平行な上側面１４および下側面１５が形成され、それら４つの側面１２〜１５の上に前面１６が形成されている。発光体２０からの光は、この前面１６から発せられる。
【００２１】
筐体１０内には、上記一側面１２の近傍において、この一側面１２と直角な方向に移動自在にして第一係合部材２１の一部が配置され、また他側面１３の近傍において、この他側面１３と直角な方向に移動自在にして第二係合部材３１の一部が配置されている。図４はこれらの第一係合部材２１および第二係合部材３１の形状を詳しく示すものである。ここに示されるように第一係合部材２１は、連絡部２２と、その中央から立ち上がって先端が一側面１２の側外方（図２および図３中の左方）に向かって延びる断面Ｌ字形の板状の第一操作部２３と、連絡部２２の両端にそれぞれ連続した板状とされて先端が第一操作部２３の先端と同じ方向に延びる２つの第一係合突部２４と、各第一係合突部２４と第一操作部２３との間において、連絡部２２からそれぞれ第一操作部２３の先端部とは反対方向に突出した円柱状の２つのバネ挿通部２５とを備えている。
【００２２】
第二係合部材３１は第一係合部材２１と同形状とされた上で、この第一係合部材２１と１８０°異なる向きに配置されたもので、連絡部３２と、その中央から立ち上がって先端が他側面１３の側外方（図２および図３中の右方）に向かって延びる断面Ｌ字形の板状の第二操作部３３と、連絡部３２の両端にそれぞれ連続した板状とされて先端が第二操作部３３の先端と同じ方向に延びる２つの第二係合突部３４と、各第二係合突部３４と第二操作部３３との間において、連絡部３２からそれぞれ第二操作部３３の先端部とは反対方向に突出した円柱状の２つのバネ挿通部３５とを備えている。
【００２３】
上記形状の第一係合部材２１は、連絡部２２および第一係合突部２４を上下から挟む部分や、さらには第一操作部２３を同様に上下から挟む部分等が筐体１０内に設けられることにより、前述したように一側面１２と直角な方向に移動自在とされている。第二係合部材３１もそれと同様にして、他側面１３と直角な方向に移動自在に保持されている。
【００２４】
第一係合部材２１の２つのバネ挿通部２５には、図２および図３に示すように、それぞれ第一付勢手段としての圧縮コイルバネ２６が巻回されている。この圧縮コイルバネ２６はその一端が連絡部２２に当接し、他端が筐体１０内の一部に当接するようにして圧縮状態に配置され、それにより第一係合部材２１は一側面１２の側外方に向けて付勢されている。また第二係合部材３１の２つのバネ挿通部３５には、図２および図３に示すように、それぞれ第二付勢手段としての圧縮コイルバネ３６が保持されている。この圧縮コイルバネ３６もその一端が連絡部３２に当接し、他端が筐体１０内の一部に当接するようにして圧縮状態に配置され、それにより第二係合部材３１は他側面１３の側外方に向けて付勢されている。
【００２５】
上述のように付勢されている第二係合部材３１は図５に示すように、他側面１３に形成された操作部通過孔１３ａから第二操作部３３が筐体外に突出し、また同じく他側面１３に形成された２つの突部通過孔１３ｂからそれぞれ第二係合突部３４が筐体外に大きく突出する状態となっている。図示はしていないが一側面１２にも、上記操作部通過孔１３ａと同様の操作部通過孔が形成されてそこから第一係合部材２１の第一操作部２３が筐体外に突出し、上記突部通過孔１３ｂと同様の突部通過孔が２つ形成されてそれらから第一係合部材２１の第一係合突部２４が筐体外に大きく突出している。上記付勢に抗するような外力が第一係合部材２１および第二係合部材３１に加えられない限り、第一係合部材２１および第二係合部材３１は上記の状態を維持する。
【００２６】
図６は筐体１０の底面１１を示すものであり、以下この図６を参照して、底面１１の形状について説明する。ここに図示される通り底面１１には、他側面１３の近傍位置において、概略Ｔ字状とされて底面１１から若干低くなった凹部４１が形成され、その下方には、縦長の長方形状とされて底面１１から若干低くなった凹部４３が形成されている。また同じくこの底面１１には、一側面１２の近傍位置において、概略Ｔ字状とされて底面１１から若干低くなった凹部４２が形成され、その下方には、縦長の長方形状とされて底面１１から若干低くなった凹部４４が形成されている。
【００２７】
またこの底面１１には、発光体１５を点灯させる駆動電流を取付器具５側から受電するための受電端子１７および１９と、発光体１５の点灯を制御する信号電流を取付器具５側から受電するための受電端子１８および２０が設けられている。さらにこの底面１１には、四隅のそれぞれに近い位置において４つの丸穴３７が設けられ、各丸穴３７の中には、離間用付勢手段としてのコイルバネ３８が固定されている。これらのコイルバネ３８による作用については後述する。
【００２８】
次に図７〜９を参照して、取付器具５について説明する。図７および図８はそれぞれ、取付器具５の平面形状および側面形状を示しており、図９は取付器具５の斜視形状を示している。なお図９においては、底面５１の上に形成された要素を省略して示している。
【００２９】
取付器具５は例えば合成樹脂から形成され、上方が開いた概略薄い直方体状の凹部５０を有している。この凹部５０は、底面５１と、４つの側壁５２、５３、５４および５５とによって画成されたもので、側壁５２〜５５は上記底面５１および取付器具５の表面５６に対して直角に形成されている。
【００３０】
凹部５０は、照明器具１の筐体１０をほぼ緊密に収容する形状とされている。すなわち、この凹部５０に対して所定の向きで照明器具１が収められると、図２および図３に示した筐体１０の底面１１は取付器具５の底面５１に接し、そして筐体１０の４つの側面１２、１３、１４および１５はそれぞれ側壁５２、５３、５４および５５と微小間隙を置いて向き合う状態となる。上記４つの側壁うち側壁５２には２つの係合穴５７が形成され、また、この側壁５２と向き合う側壁５３にも同様の２つの係合穴５８が形成されている。なお上記側壁５２は本発明における第一保持部を構成し、側壁５３は本発明における第二保持部を構成している。
【００３１】
上記底面５１には、側壁５３の近傍位置において、概略Ｔ字状とされて底面５１から若干高くなった凸部６１が形成され、その下方には、縦長の長方形状とされて底面５１から若干高くなった凸部６３が形成されている。また底面５１には、側壁５２の近傍位置において、概略Ｔ字状とされて底面５１から若干高くなった凸部６２が形成され、その下方には、縦長の長方形状とされて底面５１から若干高くなった凸部６４が形成されている。
【００３２】
また底面５１には、外部から駆動電流を受けるための配線が接続されるコネクタ７０および７１、外部から信号電流を受けるための配線が接続されるコネクタ７２および７３、取付器具５を壁面等に取り付けるための取付孔７４〜７７、一端が筐体１０側に固定される照明器具落下防止用紐（図示せず）の他端が取り付けられる紐取付部７８、取付器具５の上下取付方向を示す表示７９および８０、上述した配線を通すための配線通過孔８１等が設けられている。取付器具５の内部には、上記駆動電流や信号電流用の回路基板（図示せず）が収容されている。
【００３３】
さらに底面５１には、照明器具１が取付器具５に取り付けられた際に、照明器具１が取り付け方向、つまり取付器具５との距離が変わる方向にガタ付くことを防止するための円柱状の突起８４が４つ形成されている。
【００３４】
また底面５１には、照明器具１がその底面１１側から取付器具５に取り付けられた際に、該底面１１に形成されている前記受電端子１７および１９と各々接触する駆動電流給電端子８７および８９と、前記受電端子１８および２０と各々接触する信号電流給電端子８８および９０とが設けられている。なお給電端子８７、８８、８９および９０は、それぞれ受電端子との接触を確実にするために、図示外のバネ等の付勢手段により、外方つまり図７中で手前側に付勢されている。
【００３５】
以下、照明器具１を取付器具５に取り付ける操作について説明する。図１は照明器具１が取付器具５に取り付けられるときの状態を、（Ａ）、（Ｂ）、（Ｃ）と時間を追って示している。なおここでは、取付器具５を破断して示している。
【００３６】
同図（Ａ）に示すように照明器具１は、まず例えば作業者の両手により、第一操作部２３と第二操作部３３を、それぞれ圧縮コイルバネ２６、３６の付勢力に抗して押し込みつつ保持される。この状態では、第一係合部材２１の第一係合突部２４および第二係合部材３１の第二係合突部３４は、各々筐体１０の一側面１２、他側面１３から僅かだけ突出した状態となる。
【００３７】
次に同図（Ｂ）に示すように照明器具１は、取付器具５の凹部５０内に上から収められる。このとき、第一係合突部２４および３４は上述の状態となっているので、照明器具１が凹部５０内に収められることを妨げない。
【００３８】
照明器具１の底面１１が、取付器具５の底面５１に接すると、同図（Ｃ）に示すように第一操作部２３および第二操作部３３の押し込みが解放される。すると第一係合突部２４および第二係合突部３４はそれぞれ圧縮コイルバネ２６、３６の付勢力により外側に大きく突出し、第一係合突部２４は係合穴５７内に、そして第二係合突部３４は係合穴５８内に進入する。こうして第一係合突部２４と係合穴５７とが係合し、また第二係合突部３４と係合穴５８とが係合すると、照明器具１に対して取付器具５から離す方向の外力が作用しても、照明器具１は取付器具５の凹部５０から離脱することなく、そこに保持されるようになる。
【００３９】
なお、上述の通りにして照明器具１が取付器具５に取り付けられるとき、それら両者の相対位置が正しければ、取付器具５の凸部６１、６２は照明器具１の筐体１０に形成されている凹部４１、４２と組み合い、また凸部６３、６４は同じく筐体１０に形成されている凹部４３、４４と組み合うようになる（図６、７参照）。
【００４０】
取付器具５に対して照明器具１が不正な向きで取り付けられようとすると、上述の組み合いがなされず、筐体１０を所定位置まで押し込むことが不可能になるので、不正な向きで照明器具１が取り付けられることが防止される。そして凸部６１、６２、６３および６４が、それぞれ凹部４１、４２、４３および４４と組み合うと、照明器具１の筐体１０は上下左右方向（図２の矢印Ａ方向およびそれと直角な方向）に移動できなくなり、該筐体１０の位置が規定される。
【００４１】
また、照明器具１が正しい向きで取付器具５に取り付けられると、取付器具５の４つの突起８４がそれぞれ照明器具１の筐体１０の丸穴３７に入り込み、該丸穴３７内に配設されているコイルバネ３８を圧縮する。そこで筐体１０は取付器具５から離れる方向に押され、第一係合突部２４の上面が係合穴５７の上壁に接し、また第二係合突部３４の上面が係合穴５８の上壁に接する位置に保持される。それにより、照明器具１が取り付け方向、つまり取付器具５との距離が変わる方向にガタ付くことが防止される。
【００４２】
なお、上記４つの突起８４の外径が、丸穴３７の内径より僅かに小さいだけの値に設定されている場合は、突起８４が上記凸部６１〜６４と同様に、筐体１０の上下左右方向位置を規定する位置規定部材としても作用するようになる。
【００４３】
また、照明器具１が正しい向きで取付器具５に取り付けられると、筐体１０の底面１１に形成されている受電端子１７および１９が各々取付器具５の駆動電流給電端子８７および８９と接触し、また、同じく底面１１に形成されている受電端子１８および２０が各々取付器具５の信号電流給電端子８８および９０と接触して、取付器具５から照明器具１に給電がなされ得る状態となる。なお前述した通り、給電端子８７、８８、８９および９０はそれぞれ外方に向けて付勢されているので、それぞれ受電端子１７、１８、１９および２０との接触が確実なものとなる。
【００４４】
照明器具１を取付器具５から取り外す際には、まず、照明器具１の第一操作部２３と第二操作部３３をそれぞれ押し込むようにして照明器具１が保持される。それにより第一係合突部２４は係合穴５７から抜け出し、また第二係合突部３４は係合穴５８から抜け出すので、その状態のまま照明器具１を持ち上げれば、照明器具１が取付器具５の凹部５０から取り外される。
【００４５】
なお本実施形態においては、照明器具１が取付器具５に取り付けられているとき、前述したように圧縮されているコイルバネ３５の作用により、筐体１０は取付器具５から離れる方向に押されている。したがって、上記のようにして第一係合突部２４と係合穴５７との係合および、第二係合突部３４と係合穴５８との係合が解除されると、筐体１０は取付器具５から弾力的に離れて、第一操作部２３および第二操作部３３が取付器具５の表面５６から若干浮き上がるようになる。そこで、これらの第一操作部２３および第二操作部３３を指先で容易に保持して、照明器具１を取付器具５から簡単に取り外せるようになる。
【００４６】
なお本実施形態において照明器具１の上下左右方向位置は、前述した通り照明器具１側の凹部４１、４２、４３および４４と、取付器具５側の凸部６１、６２、６３および６４との組合いによって規定される。すなわち、それらの凹部４１、４２、４３および４４、並びに凸部６１、６２、６３および６４が、照明器具１の位置を規定する位置規定部材を構成している。
【００４７】
ただし照明器具１の位置は、その他の部材によって規定するようにしても構わない。例えば、取付器具５の凹部５０の側壁５２〜５５と、照明器具１の筐体１０の側面１２〜１５とが互いに緊密に接するように凹部５０と筐体１０の寸法を設定すれば、側壁５２〜５５を位置規定部材として機能させることができる。さらに、第一係合部材２１の第一係合突部２４や第二係合部材３１の第二係合突部３４を、それぞれ係合穴５７、５８に緊密に収容される大きさに形成しておけば、それらの第一係合突部２４および３４によって照明器具１を位置規定することも可能である。
【００４８】
次に、本発明の別の実施形態について説明する。図１０は本実施形態の取付構造の一部を構成する照明器具１の側部を示す斜視図である。なおこの図１０において、図１〜９中の要素と同等の要素には同番号を付してあり、それらについての説明は特に必要のない限り省略する（以下、同様）。
【００４９】
本実施形態においては、同図の（Ａ）に示すように、照明器具１の筐体１０の他側面１３に、側面厚さ方向に互いに離して操作部通過孔１１３ａと突部通過孔１１３ｂが形成されている。そして常時は、操作部通過孔１１３ａから扇状の第二操作部１３３が、また突部通過孔１１３ｂから同じく扇状の第二係合突部１３４が突出するようになっている。
【００５０】
第二操作部１３３および第二係合突部１３４は、図１１に筐体１０を破断して示すように、それぞれ概略円板を１／４切り取った形状とされ、回動軸１３０により一体的に連結されている。そして第二操作部１３３から突出した回動軸１３０の上端部分、および第二係合突部１３４から突出した回動軸１３０の下端部分がそれぞれ筐体１０に回転自在に保持されることにより、第二操作部１３３および第二係合突部１３４は上記回動軸１３０を中心として、図１１中の矢印Ｂ方向、矢印Ｃ方向に回動可能とされている。また回動軸１３０には、第二付勢手段としてのねじりコイルバネ１３１が巻回され、このねじりコイルバネ１３１の一端は回動軸１３０に、またその他端は筐体１０にそれぞれ係止されている。それにより回動軸１３０は、つまり第二操作部１３３および第二係合突部１３４は、上記矢印Ｃ方向に付勢されている。
【００５１】
なお以上は第二操作部１３３および第二係合突部１３４について説明したが、筐体１０の他側面１３と反対側を向く一側面１２（図２参照）にも、第二操作部１３３と同様の第一操作部および、第二係合突部１３４と同様の第一係合突部が設けられる。
【００５２】
図１０に示した照明器具１は、例えば図９に示すような凹部５０を有する取付器具５に取り付けられる。その場合凹部５０の側壁５２には、図９に示す係合穴５７と同様の係合穴（第一係合突部用）が１つ設けられ、また側壁５３にも同様の係合穴（第二係合突部用）が１つ設けられる。
【００５３】
上述した通り第二操作部１３３および第二係合突部１３４は、ねじりコイルバネ１３１により付勢されて、常時は他側面１３から突出した状態を保つ。照明器具１を図示外の取付器具５に取り付ける際には、例えば作業者の指先により第二操作部１３３が、ねじりコイルバネ１３１の付勢力に抗して図１１の矢印Ｂ方向に押し込まれる。それにより第二操作部１３３および第二係合突部１３４は、図１０の（Ｂ）に示す状態となる。こうして第二係合突部１３４は筐体１０の他側面１３から内側に没した状態となるので、照明器具１を、上に説明したような取付器具５の凹部５０に上方から収めることができる。その後、押し込んでいた第二操作部１３３を解放すれば、ねじりコイルバネ１３１の付勢力により第二係合突部１３４が図１１の矢印Ｃ方向に回動して他側面１３から突出し、取付器具５の側壁に形成されている係合穴に進入、係合する。
【００５４】
なお、以上は第二操作部１３３の操作および第二係合突部１３４の動作について説明したが、図示外の第一操作部も同様に操作され、そして第一係合突部も同様に動作する。以上の通りにして照明器具１は、取付器具５から離脱しないように該取付器具５に取り付けられることになる。
【００５５】
その後、取付器具５から照明器具１を取り外す際には、第二操作部１３３が、ねじりコイルバネ１３１の付勢力に抗して図１１の矢印Ｂ方向に押し込まれ、また図示外の第一操作部も同様に操作される。それにより第二係合突部１３４および図示外の第一係合突部が、それぞれ取付器具５の係合穴から抜け出るので、その状態で照明器具１を上に持ち上げれば、取付器具５から取り外すことができる。
【００５６】
なお、以上説明した各実施形態では、照明器具１が水平な状態で取付器具５に取り付けられるようにしているが、上に説明した通りの各構造をそのまま用いて、照明器具１を垂直に立てた状態で取付器具５に取り付けることも可能である。また、照明器具１を水平な状態で取付器具５に取り付ける場合、上記実施形態とは反対に、取付器具５を例えば天井に固定する等により、照明器具１の前面１６つまり光を取り出す面が下向きとなるように構成することも可能である。
【００５７】
また筐体の形状も特に薄い直方体状に限られるものではなく、その他の形状に形成された筐体を取付器具に取り付ける構造に対しても本発明は適用可能である。
【００５８】
さらに本発明による照明器具の取付構造は、複数の取付器具を１次元あるいは２次元方向に並べて配設し、それぞれの取付器具に照明器具を取り付けるように構成することも可能である。
【符号の説明】
【００５９】
１    照明器具
５    取付器具
１０    筐体（基体）
１１    筐体の底面
１２    筐体の一側面
１３    筐体の他側面
１４、１５  筐体の側面
１６    筐体の前面
２０    発光体
２１    第一係合部材
２２    第一係合部材の連絡部
２３    第一操作部
２４    第一係合突部
２５    バネ挿通部
２６    圧縮コイルバネ
３１    第二係合部材
３２    第二係合部材の連絡部
３３、１３３    第二操作部
３４、１３４    第二係合突部
３５    バネ挿通部
３６    圧縮コイルバネ
３７    丸穴
３８    コイルバネ
４１〜４４  筐体の凹部
５０    取付器具の凹部
５１    取付器具の底面
５２〜５５  凹部の側壁
５７、５８  係合穴
６１〜６４  取付器具の凸部
８７〜９０  給電端子
８４    突起
１３０  回動軸
１３１  ねじりコイルバネ
【図１】
2015005418.tif 000003
【図２】
2015005418.tif 000004
【図３】
2015005418.tif 000005
【図４】
2015005418.tif 000006
【図５】
2015005418.tif 000007
【図６】
2015005418.tif 000008
【図７】
2015005418.tif 000009
【図８】
2015005418.tif 000010
【図９】
2015005418.tif 000011
【図１０】
2015005418.tif 000012
【図１１】
2015005418.tif 000013